(57)【要約】【課題】  各地に配置する装置を小型化でき、且つ容易にセル構成を変更することができる無線通信システムを提供すること。【解決手段】  アンテナをそれぞれ備え、該アンテナを用いて通信信号を送受信する複数の無線通信装置１４を備え、移動局装置とこれら無線通信装置１４のうちの少なくとも１つの無線通信装置との間で無線通信を行う無線通信システム１０であって、これら複数の無線通信装置１４と通信接続される集中制御装置１２を備え、集中制御装置１２は、複数の無線通信装置１４のうち移動局装置１６との通信に用いるものを選択する選択手段と、選択される無線通信装置１４を用いて各移動局装置１６と通信する通信手段と、を含み、各無線通信装置１４は、アンテナによる受信信号を集中制御装置１２に含まれる前記通信手段に送信するとともに、集中制御装置１２に含まれる前記通信手段から送信される送信信号を増幅してアンテナにより送信する中継手段を含む。【選択図】        図１
2006254124.tif 000002
【特許請求の範囲】
【請求項１】
アンテナをそれぞれ備え、該アンテナを用いて通信信号を送受信する複数の無線通信装置を備え、移動局装置と前記複数の無線通信装置のうちの少なくとも１つの無線通信装置との間で無線通信を行う無線通信システムであって、
前記複数の無線通信装置と通信接続される集中制御装置を備え、
前記集中制御装置は、
前記複数の無線通信装置のうち前記移動局装置との通信に用いられて前記移動局装置の中継装置を構成する前記無線通信装置を少なくとも１つ選択する選択手段と、
前記選択手段により選択される少なくとも１つの前記無線通信装置によって構成される前記中継装置を用いて前記移動局装置と通信する通信手段と、を含み、
前記各無線通信装置は、
前記アンテナによる受信信号を前記集中制御装置に含まれる前記通信手段に送信するとともに、前記集中制御装置に含まれる前記通信手段から送信される送信信号を増幅して前記アンテナにより送信する中継手段を含む、
ことを特徴とする無線通信システム。
【請求項２】
請求項１に記載の無線通信システムにおいて、
前記アンテナは単一アンテナである、
ことを特徴とする無線通信システム。
【請求項３】
請求項１に記載の無線通信システムにおいて、
前記集中制御装置は、
前記複数の無線通信装置のうち一部又は全部を構成要素とする前記中継装置を構成する前記無線通信装置の中継グループを複数記憶する中継グループ記憶手段をさらに含み、
前記選択手段は、前記中継グループ記憶手段に記憶される前記複数の中継グループの中からいずれかの中継グループを選択するとともに、該選択される中継グループの構成要素である前記無線通信装置を前記移動局装置の前記中継装置として選択する、
ことを特徴とする無線通信システム。
【請求項４】
請求項１に記載の無線通信システムにおいて、
前記選択手段は、前記移動局装置から送信される信号の前記各無線通信装置における受信レベルに基づき、前記複数の無線通信装置の一部又は全部を選択する、
ことを特徴とする無線通信システム。
【請求項５】
請求項４に記載の無線通信システムにおいて、
前記選択手段は、前記移動局装置毎に、前記複数の無線通信装置のうち該移動局装置との通信に用いるものを選択する、
ことを特徴とする無線通信システム。
【発明の詳細な説明】
【技術分野】
【０００１】
本発明は無線通信システムに関し、特に無線通信システムの基地局側の構成の改良に関する。
【背景技術】
【０００２】
従来、無線通信システムで用いられる基地局は、無線通信をするためのアンテナ、送受信される無線信号を増幅するための増幅装置、当該基地局における通信を制御するための制御装置を備えており、この基地局がシステム全体で多数用意され、分散配置されていた。そして、各基地局が１つずつセルを担っていた（特許文献１参照）。
【特許文献１】特開２００４−３２８６３８号公報
【発明の開示】
【発明が解決しようとする課題】
【０００３】
しかしながら上記従来のシステム構成では、基地局の構成が複雑であって、装置が大型なものとならざるを得ないため、その設置に労力が必要であった。また、セル構成を変更しようとすると、基地局の増設や既存の基地局の性能向上等の大掛かりな工事が必要になり、容易にセル構成を変更することができないという問題もあった。
【０００４】
本発明は上記課題に鑑みてなされたものであって、その目的は、各地に配置する装置を小型化でき、且つ容易にセル構成を変更することができる無線通信システムを提供することにある。
【課題を解決するための手段】
【０００５】
上記課題を解決するために、本発明に係る無線通信システムは、アンテナをそれぞれ備え、該アンテナを用いて通信信号を送受信する複数の無線通信装置を備え、移動局装置と前記複数の無線通信装置のうちの少なくとも１つの無線通信装置との間で無線通信を行う無線通信システムであって、前記複数の無線通信装置と通信接続される集中制御装置を備え、前記集中制御装置は、前記複数の無線通信装置のうち前記移動局装置との通信に用いられて前記移動局装置の中継装置を構成する前記無線通信装置を少なくとも１つ選択する選択手段と、前記選択手段により選択される少なくとも１つの前記無線通信装置によって構成される前記中継装置を用いて前記移動局装置と通信する通信手段と、を含み、前記各無線通信装置は、前記アンテナによる受信信号を前記集中制御装置に含まれる前記通信手段に送信するとともに、前記集中制御装置に含まれる前記通信手段から送信される送信信号を増幅して前記アンテナにより送信する中継手段を含む、ことを特徴とする。
【０００６】
本発明に係るシステムでは、集中制御装置と複数の無線通信装置とを備え、無線通信装置は、該無線通信装置に備えられたアンテナによる受信信号を集中制御装置に含まれる通信手段に送信するとともに、該通信手段から送信される送信信号を増幅してアンテナにより送信する。このため、無線通信装置は各種信号処理のための構成を備えずに済み、小型化を実現することができる。また、集中制御装置は、複数の無線通信装置のうち移動局装置との通信に用いるものを選択する選択手段を含んでいるので、この選択手段による選択方法を変更することで、集中制御装置側で容易にセル構成を変更することができるようになる。
【０００７】
なお、前記アンテナは単一アンテナであってよい。単一アンテナは、基本的なアンテナを単独で使用するものであり、例えば単一ダイポールアンテナ等が該当する。こうすれば、無線通信装置を十分に小型化することができる。
【０００８】
また、前記集中制御装置が、前記複数の無線通信装置のうち一部又は全部を構成要素とする前記中継装置を構成する前記無線通信装置の中継グループを複数記憶する中継グループ記憶手段をさらに含むようにして、前記選択手段が、前記中継グループ記憶手段に記憶される前記複数の中継グループの中からいずれかの中継グループを選択するとともに、該選択される中継グループの構成要素である前記無線通信装置を前記移動局装置の前記中継装置として選択するようにしてもよい。こうすれば、中継グループ記憶手段に記憶された中継グループを変更することで、容易にセル構成を変更することができる。
【０００９】
また、前記選択手段が、前記移動局装置から送信される信号の前記各無線通信装置における受信レベルに基づき、前記複数の無線通信装置の一部又は全部を選択するようにしてもよい。こうすれば、例えば移動局装置から送信される信号を閾値より高い受信レベルで受信する無線通信装置によって該移動局装置との通信を行う無線通信装置を構成すること等が可能となり、適応的にセル構成を変更することができる。
【００１０】
この場合、前記選択手段は、前記移動局装置毎に、前記複数の無線通信装置のうち該移動局装置との通信に用いるものを選択するようにしてもよい。こうすれば、移動局装置毎に最適なセルを設定することができる。
【発明を実施するための最良の形態】
【００１１】
以下、本発明の一実施形態について図面に基づき詳細に説明する。
【００１２】
図１は、本発明の実施形態に係る無線通信システムの全体構成を示す図である。同図に示すように、この無線通信システム１０は、複数の小型無線通信装置１４と、集中制御装置１２と、を含んで構成されており、複数の移動局装置１６に対して通信サービスを提供するようになっている。集中制御装置１２は、例えばコンピュータシステムを中心に構成されており、基地局データネットワーク１８と公衆網とに通信可能に接続されている。また、小型無線通信装置１４は、従来の無線通信システムにおける基地局の代わりに設置されるものであり、基地局データネットワーク１８に接続されるとともに、アンテナを備え、該アンテナによって複数の移動局装置１６と無線により多重通信をするようになっている。
【００１３】
小型無線通信装置１４は、図２に示すようにアンテナ２０、パワーアンプ２２、ローノイズアンプ２４、乗算器２８，３０、ＶＣＯ（電圧制御発振器）３２、ＤＡ変換器３４、ＡＤ変換器３６、制御部３８、ネットワーク通信部４０を含んで構成されている。ここで、アンテナ２０は、移動局装置１６と無線信号を送受信するものであり、例えば単一ダイポールアンテナ等の単一アンテナである。また、ローノイズアンプ２４は、アンテナ２０により受信された移動局装置１６からの微弱な無線信号を増幅するものであり、増幅された信号は乗算器２８及びＶＣＯ３２により中間周波数に変換され、ＡＤ変換器３６に入力されるようになっている。ＡＤ変換器３６では、このように増幅され、さらに中間周波数に変換された受信信号をデジタル化し、広帯域デジタルデータとしてネットワーク通信部４０に入力する。そして、このデジタルデータは、制御部３８によって制御されるネットワーク通信部４０によって、基地局データネットワーク１８を介してリアルタイムに集中制御装置１２に送信される。
【００１４】
また、集中制御装置１２は基地局データネットワーク１８を介して小型無線通信装置１４にデジタル送信データを送信している。制御部３８によって制御されるネットワーク通信部４０は、このデジタルデータを受信し、ＤＡ変換器３４に入力している。ＤＡ変換器３４では入力されたデジタルデータをアナログ化し、中間周波数のアナログ送信信号を生成している。この信号は乗算器３０及びＶＣＯ３２によって無線周波数に周波数返還され、パワーアンプ２２に入力されている。パワーアンプ２２では、入力された信号を増幅し、アンテナ２０によって無線送信している。こうして無線送信される信号は１又は複数の移動局装置１６によって受信される。小型無線通信装置１４は、上記のように、従来一般の基地局のように変復調のための構成を備えないことから、小型化が可能となっており、これにより小型無線通信装置１４の設置が容易化されている。
【００１５】
一方、集中制御装置１２は、図３に示すようにネットワーク通信部５０，５６、アンテナ選択部５２、基地局演算部５４−１〜５４−ｎを含んで構成されている。ネットワーク通信部５０は、複数地点に配置された小型無線通信装置１４から基地局データネットワーク１８を介して広帯域デジタルデータを受信する。アンテナ選択部５２は、移動局装置１６毎に、複数の小型無線通信装置１４の中から、該移動局装置１６との通信を行う１又は複数を選択する。基地局演算部５４−ｉ（ｉ＝１〜ｎ）は、通信中の各移動局装置１６に割り当てられており、アンテナ選択部５２により各移動局装置１６に対して選択された小型無線通信装置１４から送信される広帯域デジタルデータを取得し、これら広帯域デジタルデータの位相及び利得を調整し、移動局装置１６から送信されたデータを取り出す。こうして取り出されたデータは、予め定められた方式により復調及び復号され、そこから実データが取り出される。この実データ（例えば音声データやＩＰデータ等）はネットワーク通信部５６を介して公衆網に送信される。
【００１６】
また、公衆網から受信される実データ（例えば音声データやＩＰデータ等）はネットワーク通信部５６によって受信され、このデータは該データの宛先である移動局装置１６が割り当てられた基地局演算部５４−ｉに入力される。基地局演算部５４−ｉでは、このデータを符号化及び変調し、アンテナ選択部５２に供給する。そして、アンテナ選択部５２では、データの宛先である移動局装置１６との通信のために選択された小型無線通信装置１４に対して、供給されたデータを送信する。
【００１７】
ここで、アンテナ選択部５２による小型無線通信装置１４の選択方法について説明する。図４は、無線通信システム１０の小型無線通信装置１４の配置状況を示す図である。同図において各白丸は小型無線通信装置１４を示しており、多数の小型無線通信装置１４が平面的に分散配置されている様子がわかる。この無線通信システム１０では、地理的に近い場所に配置された小型無線通信装置１４がひとまとめにされ、中継グループを構成している。図５は、この中継グループを管理するための中継グループテーブルを示している。同図に示す中継グループテーブルは、各中継グループを識別する中継グループＩＤと、該中継グループに属する各小型無線通信装置を識別する小型無線通信装置ＩＤ群と、を対応づけて記憶している。この中継グループテーブルは、集中制御装置１２のアンテナ選択部５２に記憶されるものであり、本システムの管理者により適宜編集（更新）できるようになっている。
【００１８】
アンテナ選択部５２では、いずれかの小型無線通信装置１４が移動局装置１６からの位置登録要求を受信すると、その小型無線通信装置１４が属する中継グループの中継グループＩＤを中継グループテーブルから特定する。そして、以後、この中継グループＩＤにより識別される中継グループに属する小型無線通信装置１４を使用して、前記移動局装置１６との通信を行う。
【００１９】
即ち、中継グループに属する小型無線通信装置１４によって移動局装置１６の中継装置が構成されて、移動局装置１６はこの中継装置（中継グループ）を構成する小型無線通信装置１４を介して集中制御装置１２との間で通信を行う。
【００２０】
図６は、上記無線通信システム１０による通信手順を示す通信シーケンス図である。同図に示すように、各中継グループに属する小型無線通信装置１４は報知情報を送信しており（Ｓ１０１，Ｓ１０２）、これを受信した移動局装置１６は、最も高い受信レベルで受信された報知情報の送信元である小型無線通信装置１４（又はその小型無線通信装置１４が属する中継グループ）に対して位置登録要求を送信する（Ｓ１０３）。位置登録要求は、小型無線通信装置１４から集中制御装置１２に転送され、該集中制御装置１２では、アンテナ選択部５２が移動局装置１６と、位置登録要求の送信先である小型無線通信装置１４が属する中継グループの中継グループＩＤと、を関連づけて記憶し、これにより位置登録を完了する。なお、ここでは全ての小型無線通信装置１４が報知情報を送信することとしているが、中継グループ毎に、報知情報を送信する１又は複数の小型無線通信装置１４を設定しておいてもよい。こうしても、移動局装置１６を、最もその通信に適した中継グループに関連づけることができる。
【００２１】
その後、移動局装置１６から接続要求を送信する場合には、位置登録要求の送信先である中継グループに対して送信する（Ｓ１０４）。接続要求は、基地局データネットワーク１８を介して集中制御装置１２に転送され、集中制御装置１２は、接続要求の送信元である移動局装置１６に関連づけられた中継グループに属する小型無線通信装置１４を使用して、接続確認を返信する（Ｓ１０５）。その後、移動局装置１６に関連づけられた中継グループに属する小型無線通信装置１４を使用して、該移動局装置１６と集中制御装置１２との間で通信が行われる（Ｓ１０６）。
【００２２】
また、公衆網側から、いずれかの中継グループに関連づけられた移動局装置１６に対してデータ送信がされ、集中制御装置１２側から該移動局装置１６に対して接続要求する場合、該移動局装置１６に関連づけられた中継グループに属する小型無線通信装置１４を使用して接続要求を送信する（Ｓ１０７）。そして、この接続要求を受信した移動局装置１６は接続確認を返信するとともに（Ｓ１０８）、集中制御装置１２との通信を開始する（Ｓ１０９）。集中制御装置１２では、移動局装置１６に関連づけられ中継グループに属する小型無線通信装置１４のアンテナ２０によって受信されたデータから、基地局演算部５４のうち当該中継グループに対応するものによって、移動局装置１６から送信されたデータを取り出し、それを復調及び復号する。また、当該移動局装置１６にデータを送信する場合、該移動局装置１６に関連づけられた中継グループに属する小型無線通信装置１４のアンテナ２０を用いる。
【００２３】
移動局装置１６は、各中継グループに属する小型無線通信装置１４から送信される報知情報を受信し続けており（Ｓ１１０，Ｓ１１１）、現在位置登録している中継グループから送信される報知情報の受信レベルよりも、それとは異なる中継グループから送信される報知情報の受信レベルが上回った場合に、その中継グループに位置登録要求を送信するとともに（Ｓ１１２）、接続要求を送信し（Ｓ１１３）、ハンドオーバを要求する。これに対して、接続要求の送信先である中継グループから接続確認が返信されると（Ｓ１１４）、移動局装置１６はその中継グループと通信を開始する（Ｓ１１５）。
【００２４】
以上の無線通信システム１０によれば、比較的小型化が容易な小型無線通信装置１４を配置することにより、本無線通信システム１０による通信エリアを拡大することができ、また中継グループテーブルを更新するだけで、各小型無線通信装置１４との通信に使用される小型無線通信装置１４の組合せ、すなわち通信セルを容易に変更することができる。
【００２５】
なお、アンテナ選択部５２では、他の方法（基準）により各移動局装置１６との通信に用いる小型無線通信装置１４を選択するようにしてもよい。すなわち、変形例に係る無線通信システム１０では、移動局装置１６から送信される信号の各小型無線通信装置１４ａ，１４ｂにおける受信レベルに応じて、該移動局装置１６との通信に使用する中継装置（中継グループ）を構成する小型無線通信装置１４ａ，１４ｂが選択される。図７は、変形例に係る無線通信システム１０における、小型無線通信装置１４の配置状況を示す図である。図中、白丸は通常小型無線通信装置１４ａを示しており、黒丸は報知用小型無線通信装置１４ｂを示しており、同図では、これらが平面的に分散配置されている様子が示されている。通常小型無線通信装置１４ａ及び報知用小型無線通信装置１４ｂの構成は、図２に示した小型無線通信装置１４と同様であり、報知用小型無線通信装置１４ｂが報知情報を常時送信するのに対して、通常小型無線通信装置１４ａは報知情報を送信しない点で、両者は異なっている。
【００２６】
また、図中、移動局装置１６−１は時刻Ｔ１における移動局装置１６の位置を示しており、移動局装置１６−２は時刻Ｔ２における移動局装置１６の位置を示しており、移動局装置１６−３は時刻Ｔ３における移動局装置１６の位置を示している。すなわち、移動局装置１６は図中、左上から斜め右下に移動している。また、破線により示される臨時基地局のセル６０−１は、時刻Ｔ１において移動局装置１６との通信に使用される小型無線通信装置１４ａ，１４ｂを囲んでおり、臨時基地局のセル６０−２は、時刻Ｔ２において移動局装置１６との通信に使用される小型無線通信装置１４ａ，１４ｂを囲んでおり、臨時基地局のセル６０−３は、時刻Ｔ３において移動局装置１６との通信に使用される小型無線通信装置１４ａ，１４ｂを示している。同図に示されるように、移動局装置１６が移動すると、該移動局装置１６から送信される通信信号の各小型無線通信装置１４における受信レベルが変化する。そして、これに伴い、移動局装置１６との通信を担う小型無線通信装置１４ａ，１４ｂの構成、すなわち移動局装置１６に対応する臨時基地局の構成が変化するようになっている。本変形例では、例えば閾値以上の受信レベルにて移動局装置１６から送信される通信信号を受信する小型無線通信装置１４ａ，１４ｂにより該移動局装置１６との通信に使用する小型無線通信装置１４ａ，１４ｂを選択したり、最も高い受信レベルにて移動局装置１６から通信信号を受信する小型無線通信装置１４ａ，１４ｂから所定数の小型無線通信装置１４ａ，１４ｂを、該移動局装置１６との通信に使用する小型無線通信装置１４ａ，１４ｂとして選択したりすることにより、移動局装置１６との通信に用いられる中継装置（中継グループ）を構成する最適な小型無線通信装置１４ａ，１４ｂを随時選択し直し、最適な臨時基地局を構成するようにしている。
【００２７】
図８は、変形例に係る無線通信システム１０による通信手順を示す通信シーケンス図である。同図に示すように、各報知用小型無線通信装置１４ｂは報知情報を送信しており（Ｓ２０１，Ｓ２０２）、これを受信した移動局装置１６は、最も高い受信レベルで受信された報知情報の送信元である報知用小型無線通信装置１４ｂに対して概略位置登録要求を送信する（Ｓ２０３）。この概略位置登録要求は、報知用小型無線通信装置１４ｂから集中制御装置１２に転送され、該集中制御装置１２では、アンテナ選択部５２が移動局装置１６と、概略位置登録要求の送信先である報知用小型無線通信装置１４ｂと、を関連づけて記憶し、これにより概略位置登録を完了する。
【００２８】
概略位置登録を完了すると、移動局装置１６と関連づけられた報知用小型無線通信装置１４ｂの近傍の報知用小型無線通信装置１４ｂ及び／又は通常小型無線通信装置１４ａを用いて、該移動局装置１６から送信される信号の受信レベルを監視する。なお、集中制御装置１２では、移動局装置１６の概略位置登録がなされている報知用小型無線通信装置１４ｂの近傍の小型無線通信装置１４ａ，１４ｂを選択するため、各小型無線通信装置１４ａ，１４ｂの位置情報を予め記憶するようにしている。そして、例えば閾値より大きな受信レベルにて移動局装置１６からの送信信号を受信した報知用小型無線通信装置１４ｂ及び／又は通常小型無線通信装置１４ａを、当該移動局装置１６との通信に使用する報知用小型無線通信装置１４ｂ及び／又は通常小型無線通信装置１４ａとして選択する。そして、これら選択された報知用小型無線通信装置１４ｂ及び／又は通常小型無線通信装置１４ａにより臨時基地局を構成し、該臨時基地局に、集中制御装置１２においていずれかの基地局演算部５４を割り当てる。
【００２９】
その後、移動局装置１６から接続要求を送信すると（Ｓ２０４）、該移動局装置１６との通信に使用するために選択された、報知用小型無線通信装置１４ｂ及び／又は通常小型無線通信装置１４ａにより受信されたデータから、接続要求が取り出される。そして、集中制御装置１２では、臨時基地局を構成する報知用小型無線通信装置１４ｂ及び／又は通常小型無線通信装置１４ａを使用して、接続確認を返信する（Ｓ２０５）。その後、移動局装置１６に対応する臨時基地局を構成する報知用小型無線通信装置１４ｂ及び／又は通常小型無線通信装置１４ａを使用して、該移動局装置１６と集中制御装置１２との間で通信が行われる（Ｓ２０６）。そして、通信中も、臨時基地局を構成する報知用小型無線通信装置１４ｂ及び／又は通常小型無線通信装置１４ａの近傍の報知用小型無線通信装置１４ｂ及び／又は通常小型無線通信装置１４ａを、上記位置情報を用いて検索し、それら小型無線通信装置１４ａ，１４ｂによって、該移動局装置１６から送信される信号の受信レベルを監視する。そして、例えば閾値より大きな受信レベルにて信号を受信した報知用小型無線通信装置１４ｂ及び／又は通常小型無線通信装置１４ａを、当該移動局装置１６との通信に使用する報知用小型無線通信装置１４ｂ及び／又は通常小型無線通信装置１４ａとして選択することにより、臨時基地局の構成を変化させるようにしている。
【００３０】
また、公衆網側から移動局装置１６に対してデータ送信がされる場合、集中制御装置１２側から該移動局装置１６に対して接続要求する。この場合、該移動局装置１６が概略位置登録している報知用小型無線通信装置１４ｂを使用して移動局装置１６に接続要求を送信する（Ｓ２０７）。そして、この接続要求を受信した移動局装置１６は接続確認を返信するとともに（Ｓ２０８）、集中制御装置１２との通信を開始する（Ｓ２０９）。集中制御装置１２では、移動局装置１６に対応する臨時基地局を構成する報知用小型無線通信装置１４ｂ及び／又は通常小型無線通信装置１４ａのアンテナ２０によって受信されたデータから、基地局演算部５４のうち当該臨時基地局に対応するものによって、移動局装置１６から送信されたデータを取り出し、それを復調及び復号する。また、当該移動局装置１６にデータを送信する場合、該移動局装置１６に対応する臨時基地局を構成する報知用小型無線通信装置１４ｂ及び／又は通常小型無線通信装置１４ａのアンテナ２０を用いる。
【００３１】
以上の変形例に係る無線通信システム１０によれば、移動局装置１６から送信される信号の各小型無線通信装置１４における受信レベルにより、該移動局装置１６に対応する臨時基地局の構成が適応的に変化するため、移動局装置１６と集中制御装置１２との間の通信を最適な環境で実現することができる。
【図面の簡単な説明】
【００３２】
【図１】本発明の実施形態に係る無線通信システムの全体構成を示す図である。
【図２】小型無線通信装置の構成を示す図である。
【図３】集中制御装置の構成を示す図である。
【図４】アンテナ選択部の小型無線通信装置の選択方法を説明する図である。
【図５】中継グループテーブルの内容を示す図である。
【図６】本発明の実施形態に係る無線通信システムの通信手順を示す通信シーケンス図である。
【図７】変形例に係る無線通信システムにおけるアンテナ選択部の小型無線通信装置の選択方法を説明する図である。
【図８】変形例に係る無線通信システムの通信手順を示す通信シーケンス図である。
【符号の説明】
【００３３】
１０  無線通信システム、１２  集中制御装置、１４  小型無線通信装置、１４ａ  通常小型無線通信装置、１４ｂ  報知用小型無線通信装置、１６  移動局装置、１８  基地局データネットワーク、２０  アンテナ、２２  パワーアンプ、２４  ローノイズアンプ、２８，３０  乗算器、３２  ＶＣＯ（電圧制御発振器）、３４  ＤＡ変換器、３６  ＡＤ変換器、３８  制御部、４０，５０，５６  ネットワーク通信部、５２  アンテナ選択部、５４−１〜５４−ｎ  基地局演算部、６０−１〜６０−３  臨時基地局。
【図１】
2006254124.tif 000003
【図２】
2006254124.tif 000004
【図３】
2006254124.tif 000005
【図４】
2006254124.tif 000006
【図５】
2006254124.tif 000007
【図６】
2006254124.tif 000008
【図７】
2006254124.tif 000009
【図８】
2006254124.tif 000010